(57)【特許請求の範囲】
【請求項１】
透液性表面シートと裏面シートとの間に吸収体が介在された吸収性物品において、
前記吸収体と透液性表面シートとの間に、糸状弾性伸縮部材によって蛇腹状に収縮させることにより前記弾性伸縮部材の配設方向に直交する方向に、折り目が肌側に突出する山折りと折り目が非肌側に突出する谷折りとが交互に繰り返し形成された多数の襞を備えた高復元性シート部材が介在されているとともに、前記高復元性シート部材は、不織布又はメッシュシートからなる上層シート材と下層シート材との間に複数本の前記糸状弾性伸縮部材を所定の方向に間隔をあけて伸長状態で接合することによって構成され、
前記高復元性シート部材は、前記糸状弾性伸縮部材を吸収性物品の長手方向に沿って配設することにより、前記襞の折り目が吸収性物品の幅方向に沿って形成されていることを特徴とする吸収性物品。
【請求項２】
前記高復元性シート部材は、体液排出部位に対応する領域を含む範囲に配設されている請求項１記載の吸収性物品。
【発明の詳細な説明】
【技術分野】
【０００１】
本発明は、主には生理用ナプキン、おりものシート、失禁パッド、トイレタリー等に使用される吸収性物品であって、詳しくは繰り返し体液を排出しても肌面との密着性を損なわない構造を備えた吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
この種の吸収性物品にも幾多の改良が重ねられ、装着時に肌面との密着性を高めるための手段が種々講じられている。例えば、下記特許文献１においては、トップシートと吸収体との間に、吸収性物品の長手方向中心線に沿って延びるように設けられトップシートの長手方向中心線付近を膨出させる膨出手段を備え、前記膨出手段は、吸収性物品の長手方向中心線の両脇に沿って延びる複数の弾性部材を備えトップシートの長手方向中心線付近に接合された液透過性の天面部と、この天面部の長手方向中心線の両脇下部から下方に延出され前記弾性部材の縮み応力によりトップシート側に起立する一対の起立部と、この起立部それぞれが外方に延出され吸収体に固定された一対の固定部と、を有するとともに、前記吸収体、天面部及び一対の起立部に囲まれて形成され吸収性物品の長手方向中心線に沿って延びる内部空間を備えた吸収性物品が開示されている。
【０００４】
また、下記特許文献２においては、吸収体の表面に液透過性シートが設けられ、この液透過性シートにより、弾性部材を有する肌当て部と、この肌当て部の両側で吸収体の表面に固定される側方固定部と、前記肌当て部と側方固定部とを繋ぐ一対の立ち上げ部とを有しており、前記肌当て部には、弾性伸縮部が設けられ、この弾性伸縮部の縦方向の弾性収縮力によって、肌当て部が吸収体の表面から離間しており、前記吸収体の上には、前記肌当て部と立ち上げ部とで囲まれて縦方向に延びる空洞部が形成されている吸収性物品が開示されている。
【先行技術文献】
【特許文献】
【０００５】
【特許文献１】特開２００７−１３５９４１号公報
【特許文献２】特開２００６−２７１６４９号公報
【発明の概要】
【発明が解決しようとする課題】
【０００６】
しかしながら、上記特許文献１、２記載の吸収性物品では、弾性部材の収縮力によって表面側に起立する膨出手段を、トップシートと吸収体との間に介在させることによって、トップシートと吸収体との間に空洞を作り、トップシートだけ身体に密着させる構造としているが、夜用ナプキンなどのように長時間装着する吸収性物品の場合、表面材だけ表面側に持ち上げて身体に密着させようとしても、表面材が身体の動きに耐えられず引っ張られたり押し潰されたりして、表面材にヨレやシワが生じ、これが吸収性物品全体のヨレに進展して、身体との密着性が低下して漏れが生じるおそれがあった。
【０００７】
また、このような膨出手段を有さない一般的な吸収性物品では、夜用ナプキンなどのように長時間装着している間に複数回繰り返して体液を排出した場合、吸収体が繰り返し体液を吸収することによって、吸収体にヘタリが生じて吸収体の厚みが減少し、肌面との間に隙間が生じる結果、体液が漏れやすくなるという問題が指摘されていた。
【０００８】
そこで本発明の主たる課題は、表面材のヨレやシワを生じにくくし、且つ繰り返しの体液吸収によって吸収体にヘタリが生じた場合でも肌面との密着性を低下させず、体液の漏れを防止した吸収性物品を提供することにある。
【課題を解決するための手段】
【０００９】
上記課題を解決するために請求項１に係る本発明として、透液性表面シートと裏面シートとの間に吸収体が介在された吸収性物品において、
前記吸収体と透液性表面シートとの間に、糸状弾性伸縮部材によって蛇腹状に収縮させることにより前記弾性伸縮部材の配設方向に直交する方向に、折り目が肌側に突出する山折りと折り目が非肌側に突出する谷折りとが交互に繰り返し形成された多数の襞を備えた高復元性シート部材が介在されているとともに、前記高復元性シート部材は、不織布又はメッシュシートからなる上層シート材と下層シート材との間に複数本の前記糸状弾性伸縮部材を所定の方向に間隔をあけて伸長状態で接合することによって構成され、
前記高復元性シート部材は、前記糸状弾性伸縮部材を吸収性物品の長手方向に沿って配設することにより、前記襞の折り目が吸収性物品の幅方向に沿って形成されていることを特徴とする吸収性物品が提供される。
【００１０】
上記請求項１記載の発明では、吸収体と透液性表面シートとの間に、糸状弾性伸縮部材による収縮力によって前記弾性伸縮部材の配設方向に直交する方向に、折り目が肌側に突出する山折りと折り目が非肌側に突出する谷折りとが交互に繰り返し形成された多数の襞を備えた高復元性シート部材を介在させてあるため、蛇腹状に収縮させた前記高復元性シート部材の復元力を利用して、吸収体と透液性表面シートとの間にクッション性を持たせ、表面材を肌面に密着させようとしている。したがって、従来の吸収性物品のように透液性表面シートのみを肌側に膨出させるのではないので、夜用ナプキンなどのように長時間装着する中で激しい身体の動きを伴う場合であっても、表面材と吸収体との一体性が損なわれず、表面材のヨレやシワが生じにくくなる。
【００１１】
また、繰り返しの体液吸収によって吸収体にヘタリが生じても、前記高復元性シート部材のクッション性によって吸収体と透液性表面シートとの間に隙間が生じるのが防止できるとともに、透液性表面シートが肌面に密着した状態が保持されるので、体液が吸収体に素早く吸収される結果、体液の漏れが防止できるようになる。
【００１２】
前記高復元性シート部材は、不織布又はメッシュシートからなる上層シート材と下層シート材との間に複数本の前記糸状弾性伸縮部材を所定の方向に間隔をあけて伸長状態で接合することにより、前記糸状弾性伸縮部材による収縮力によって蛇腹状に収縮させて構成されている。
【００１３】
そして、前記高復元性シート部材は、前記糸状弾性伸縮部材を吸収性物品の長手方向に沿って配設することにより、前記襞の折り目が吸収性物品の幅方向に沿って形成されているため、吸収性物品の表面が身体のラインに沿いやすくなる。
【００１４】
請求項２に係る本発明として、前記高復元性シート部材は、体液排出部位に対応する領域を含む範囲に配設されている請求項１記載の吸収性物品が提供される。
【００１５】
上記請求項２記載の発明では、前記高復元性シート部材を配設する範囲について規定してあり、吸収体にヘタリが生じた場合でも表面と肌面との密着性を高めるため、少なくとも体液排出部位に対応する領域を含む範囲に配設するのが好ましい。
【発明の効果】
【００１６】
以上詳説のとおり本発明によれば、表面材のヨレやシワが生じにくくなり、且つ繰り返しの体液吸収によって吸収体にヘタリが生じても肌面との密着性が低下せず、体液の漏れが防止できるようになる。
【図面の簡単な説明】
【００１７】
【図１】本発明に係る生理用ナプキン１の一部破断展開図である。
【図２】図１のII−II線矢視図である。
【図３】図１のIII−III線矢視図である。
【図４】生理用ナプキン１の縦断面図（図１のIV−IV線矢視図）である。
【図５】(A)は弾性伸縮部材２３の伸長状態、(B)は収縮状態（自然状態）を示す、高復元性シート部材２０の斜視図である。
【図６】繰り返し体液を吸収した状態を示す、生理用ナプキン１の縦断面図である。
【図７】他の形態例に係る生理用ナプキン１の展開図である。
【発明を実施するための形態】
【００１８】
以下、本発明の実施の形態について図面を参照しながら詳述する。
【００１９】
〔生理用ナプキン１の基本構造〕
前記生理用ナプキン１は、ポリエチレンシートなどからなる不透液性裏面シート２と、経血やおりものなどを速やかに透過させる透液性表面シート３と、これら両シート２，３間に介装された綿状パルプまたは合成パルプなどからなる吸収体４と、この吸収体４の形状保持および拡散性向上のために前記吸収体４を囲繞するクレープ紙又は不織布などからなる被包シート５と、前記透液性表面シート３と吸収体４との間に配置された親水性のセカンドシート６と、前記吸収体４の略側縁部を起立基端とし、かつ少なくとも体液排出部Ｈを含むように前後方向に所定の区間内において表面側に突出して設けられた左右一対の立体ギャザーＢＳ、ＢＳを形成するサイド不織布７とから主に構成され、かつ前記吸収体４の周囲においては、その上下端縁部では前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布７とがホットメルトなどの接着剤やヒートシール等の接着手段によって接合され、これら不透液性裏面シート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００２０】
以下、さらに前記生理用ナプキン１の構造について詳述すると、
前記不透液性裏面シート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非使用面側（外面）には１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００２１】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記透液性表面シート３に多数の透孔を形成した場合には、経血やおりもの等（以下、まとめて体液という。）が速やかに吸収されるようになり、ドライタッチ性に優れたものとなる。
【００２２】
前記不透液性裏面シート２と透液性表面シート３との間に介在される吸収体４は、たとえば綿状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００２３】
前記吸収体４は、基材用吸収体４Ａと、少なくとも着用者の排血口部Ｈに対応する部分を含む領域に配設され、前記基材用吸収体４Ａより肌側に隆起する中央中高部４Ｂと、必要に応じて生理用ナプキン１の後端部に配設され、前記基材用吸収体４Ａより肌側に隆起する後方中高部４Ｃとから構成するのが好ましい。前記中央中高部４Ｂは、着用者の排血口部Ｈ及びその周辺を十分に覆う大きさで形成され、後方が臀部溝に対応する領域まで延びている。前記中央中高部４Ｂは、排血口部に対応する領域のみに形成してもよいが、後方が会陰部や臀部溝まで延在して形成するのが好ましい。前記後方中高部４Ｃは、臀部溝より後方に位置し、万一臀部溝を伝って後側に漏れる体液があった場合にそれを捕捉するためのものである。
【００２４】
本生理用ナプキン１では、前記中央中高部４Ｂを囲むように、透液性表面シート３の外面側から生理用ナプキン１の略長手方向に沿って左右一対の中央圧搾溝１６を形成するのが好ましい。前記中央圧搾溝１６は、少なくとも幅方向中心線ＣＬの両側に生理用ナプキン１の略長手方向に沿って左右にそれぞれ形成される部分を有するものであればよく、図示例では、この左右の前端部及び後端部がそれぞれ接続され、全体としてナプキン長手方向に細長く、かつ周方向に閉合する形状で形成されている。かかる中央圧搾溝１６は、前記中央中高部４Ｂを囲うように、前記中央中高部４Ｂの外縁外側に設けられている。
【００２５】
また、前記中央圧搾溝１６より前側に離間して、平面視略Ω形状の前側圧搾溝１６ａが形成されるとともに、前記中央圧搾溝１６より後側に離間するとともに、前記後方中高部４Ｃを囲うように、平面視略逆Ω形状の後側圧搾溝１６ｂが形成されている。前記前側搾溝１６ａ及び後側圧搾溝１６ｂは、それぞれ生理用ナプキン１の表面を前側及び後側に伝う体液を確実に捕捉し、体液の伝い漏れを防止するためのものである。
【００２６】
前記透液性表面シート３と吸収体４との間に配置される親水性のセカンドシート６は、体液に対して親水性を有するものであればよい。具体的には、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等の合成繊維を親水化剤によって表面処理し親水性を付与した繊維を用いることができる。
【００２７】
一方、前記透液性表面シート３の幅寸法は、図示例では、図２及び図３の横断面図に示されるように、吸収体４の幅よりも若干長めとされ、吸収体４を覆うだけに止まり、前記立体ギャザーＢＳは前記透液性表面シート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３g／m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００２８】
前記サイド不織布７は、図２及び図３に示されるように、幅方向中間部より外側部分を吸収体４の内側位置から吸収体側縁を若干越えて不透液性裏面シート２の外縁までの範囲に亘ってホットメルトなどの接着剤によって接着し、これら前記サイド不織布７と不透液性裏面シート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層（図示せず）を備え、ショーツに対する装着時に、前記ウイング状フラップＷ、Ｗを折返し線ＲＬ位置にて反対側に折り返し、ショーツのクロッチ部分に巻き付けて止着するようになっている。
【００２９】
一方、前記サイド不織布７の内方側部分はほぼ二重に折り返されるとともに、この二重シート内部に、その高さ方向中間部に両端または長手方向の適宜の位置が固定された糸状弾性伸縮部材１４が配設されるとともに、前記糸状弾性伸縮部材１４の上側部位に複数本の、図示例では２本の糸状弾性伸縮部材１５、１５が両端または長手方向の適宜の位置が固定された状態で配設されている。また、吸収体４からの立ち上がり基端部に１本又は複数本の、図示例では２本の糸状弾性伸縮部材１３、１３が両端または長手方向の適宜の位置が固定された状態で配設されている。この二重シート部分は前後端部では図３に示されるように、断面Ｚ状に折り畳んで積層された状態で吸収体４側に接着されることによって、前記糸状弾性伸縮部材１４配設部位を屈曲点として、断面く字状に内側に開口を向けたポケットＰ、Ｐを形成しながら表面側に起立する立体ギャザーＢＳ、ＢＳが形成されている。
【００３０】
〔高復元性シート部材２０〕
本生理用ナプキン１では、前記吸収体４と透液性表面シート３との間に、弾性伸縮部材２３によって蛇腹状に収縮させた高復元性シート部材２０が介在されている。前記蛇腹状とは、前記弾性伸縮部材２３の配設方向にほぼ直交する方向に、折り目が肌側に突出する山折りと折り目が非肌側に突出する谷折りとが交互に繰り返し形成された状態のものであり、換言すると、前記弾性伸縮部材２３の配設方向に対する断面視で肌側及び非肌側に突出する多数の襞が設けられた波状に形成された状態のものである。この蛇腹状に収縮することにより多数の折り目が形成された状態は、少なくとも前記弾性伸縮部材２３の配設方向に対する両側縁に形成されていればよく、この両側縁に形成された山折り部及び谷折り部が、高復元性シート部材２０の幅方向（弾性伸縮部材２３の配設方向に直交する方向）に連続して形成される必要はない。すなわち、一方側の側縁から弾性伸縮部材２３の配設方向とほぼ直交する方向に延びる折り目（山折り部又は谷折り部）は、途中で隣り合う折り目に吸収されたり、或いは分岐したりして、幅方向に不連続に形成されている場合がある。
【００３１】
前記高復元性シート部材２０は、図５に示されるように、不織布又は多数の孔を形成したプラスチック製のメッシュシートからなる上層シート材２１と、不織布又は多数の孔を形成したプラスチック製のメッシュシートからなる下層シート材２２との間に、前記弾性伸縮部材２３を伸長状態で長手方向の全長又は適宜の位置がホットメルト接着剤などによって接合されて構成されている。この高復元性シート部材２０は、前記弾性伸縮部材２３による収縮力によって蛇腹状に収縮した状態で、前記吸収体４と透液性表面シート３との間に介在させてある。前記上層シート材２１及び下層シート材２２の材質及び目付は同じでも良いし、異なっていても良い。
【００３２】
前記弾性伸縮部材２３としては、糸状弾性伸縮部材を用いるのが好ましく、図５に示されるように、シート材２１、２２に対し所定の方向に間隔をあけて複数本、図示例では７本配設するのが好ましい。前記糸状弾性伸縮部材に代えて、テープ状の弾性伸縮部材や伸縮性を有するシート材を伸長状態で接合するようにしてもよい。
【００３３】
前記弾性伸縮部材２３の伸長率は、伸長させない自然状態を０倍としたとき、０．５倍〜５倍、好ましくは１倍〜３．５倍とするのがよい。ただし、適切な伸長率は、上層シート材２１や下層シート材２２の目付や材質によっても異なるものである。前記弾性伸縮部材２３の伸長率は全ての弾性伸縮部材２３で同じとし、上層シート材２１及び下層シート材２２の全面にほぼ均等な収縮力が作用するようにするのが好ましい。
【００３４】
前記弾性伸縮部材２３を複数本配置する際の間隔は、３ｍｍ〜７ｍｍ、好ましくは５ｍｍ程度とするのがよい。この間隔は、全ての弾性伸縮部材２３、２３間で同じとし、上層シート材２１及び下層シート材２２の全面にほぼ均等な収縮力が作用するようにするのが好ましい。
【００３５】
前記高復元性シート部材２０を製造するには、図５(A)に示されるように、所定の間隔で所定のテンションをかけて繰り出した複数本の弾性伸縮部材２３、２３…の周面にそれぞれホットメルト接着剤などの接着剤を塗布した後、前記弾性伸縮部材２３、２３…の上下面にそれぞれ、前記上層シート材２１及び下層シート材２２を接合する。その後、弾性伸縮部材２３のテンションを解除することによって、同図５(B)に示されるように、蛇腹状に収縮した高復元性シート部材２０を得ることができる。
【００３６】
前記高復元性シート部材２０は、図１に示されるように、排血口部Ｈに対応する領域を含む範囲に配設されている。図示例では、排血口部Ｈに対応する領域を含む範囲から会陰部に対応する領域にかけて配設されている。前記高復元性シート部材２０は、図１に示されるように、少なくとも排血口部Ｈに対応する領域の両側に形成される前記中央圧搾溝１６で囲まれた領域に配設するのが好ましい。
【００３７】
前記高復元性シート部材２０は、蛇腹状に収縮させた状態で、上層シート材２１の外面及び下層シート材２２の外面の両方又は一方にスパイラル塗布などで塗布されたホットメルト接着剤によって各面を固定するのが好ましい。
【００３８】
前記高復元性シート部材２０は、図１に示されるように、弾性伸縮部材２３によって蛇腹状に収縮させた状態で平面視略長方形状に形成されている。
【００３９】
この高復元性シート部材２０の平面寸法は、前記弾性伸縮部材２３による収縮力によって蛇腹状に収縮させた状態（図５(B)に示される状態）で、ナプキン幅方向の寸法Ａが２０ｍｍ〜５０ｍｍ、好ましくは３５ｍｍ〜４５ｍｍとするのがよい。また、ナプキン長手方向の寸法Ｂが５０ｍｍ〜４２０ｍｍとするのがよく、少なくとも排血口部Ｈに対応する領域に７０ｍｍ〜１５０ｍｍの長さで設けるのが好ましい。
【００４０】
また、前記高復元性シート部材２０の弾性伸縮部材２３による収縮によって蛇腹状に収縮させた状態での見かけの厚みは、前記上層シート材２１及び下層シート材２２の材質や目付によっても異なるが、２ｍｍ〜１０ｍｍ、好ましくは４ｍｍ〜８ｍｍとするのがよい。
【００４１】
前記高復元性シート部材２０は、図２及び図４に示されるように、吸収体４（吸収体４を被包シート５で囲繞した場合には吸収体４の肌側面を覆う被包シート５）と透液性表面シート３との間に介在されている。また、本例のように透液性表面シート３と吸収体４との間にセカンドシート６を介在させた場合には、吸収体４とセカンドシート６との間に配設するのが好ましいが、セカンドシート６と透液性表面シート３との間に配設してもよい。
【００４２】
以上の構成からなる本生理用ナプキン１では、吸収体４と透液性表面シート３との間に、前記弾性伸縮部材２３による収縮力によって蛇腹状に変形させた高復元性シート部材２０を介在させることによって、蛇腹状に収縮させた高復元性シート部材２０の復元力を利用して、吸収体４と透液性表面シート３との間にクッション性を持たせ、表面材を肌面に密着させようとしている。したがって、従来の吸収性物品のように、透液性表面シートのみを肌側に膨出させる構造ではないので、夜用ナプキンなどのように長時間装着する中で激しい身体の動きを伴う場合であっても、透液性表面シート３と吸収体４との一体性が損なわれず、透液性表面シート３にヨレやシワが生じにくくなるという効果を奏する。
【００４３】
また、図６に示されるように、吸収体４が繰り返し体液を吸収することによって、排血口部Ｈやその近傍の吸収体４の肌側が窪むヘタリが生じた場合でも、前記高復元性シート部材２０のクッション性によって吸収体４と透液性表面シート３との間に隙間が発生するのが防止できるとともに、透液性表面シート３が肌面に密着した状態が保持されるので、体液が前記透液性表面シート３及び高復元性シート部材２０を伝って吸収体４に素早く吸収されるため、体液の漏れが防止できるようになる。
【００４４】
前記高復元性シート部材２０のクッション性をより効果的に発揮するため、前記中央圧搾溝１６を施す際の透液性表面シート３に作用する張力によって、高復元性シート部材２０が厚み方向に若干圧縮された状態になるようにするのが好ましい。これにより、吸収体４が繰り返し体液を吸収することによってヘタリが生じた場合でも、高復元性シート部材２０が圧縮された状態から厚み方向に復元するので、この高復元性シート部材２０が吸収体４のヘタリによる窪み部分を埋め、透液性表面シート３が窪むのが抑えられ、肌面との密着性が高められる。前記中央圧搾溝１６を施すことによる高復元性シート部材２０の圧縮率（見かけ厚みの減少率）は、３％〜５０％、好ましくは５％〜２０％程度とするのがよい。
【００４５】
ところで、前記高復元性シート部材２０は、図１に示されるように、弾性伸縮部材２３をナプキン長手方向に沿って配設することにより、ナプキン長手方向に凹凸を繰り返す蛇腹状に形成してもよいし、図７に示されるように、弾性伸縮部材２３をナプキン幅方向に沿って配設することにより、ナプキン幅方向に凹凸を繰り返す蛇腹状に形成してもよい。前者のナプキン長手方向に沿って弾性伸縮部材２３を配設した場合は、蛇腹状の折り目がナプキン幅方向に沿って形成されるため、身体の前後方向の丸みに沿いやすくなる。後者のナプキン幅方向に沿って弾性伸縮部材２３を配設した場合は、蛇腹状の折り目がナプキン長手方向に沿って形成されるため、ナプキン幅方向への体液拡散を抑える効果が高くなる。ただし、高復元性シート部材２０の復元力は、弾性伸縮部材２３をナプキン長手方向に配設した場合とナプキン幅方向に配設した場合とで変化はないので、吸収体のヘタリに対する隙間充填性に変化はない。
【００４６】
前記上層シート材２１と弾性伸縮部材２３との間や下層シート材２２と弾性伸縮部材２３との間に、ポリマー層やパルプ層を別途設けるようにしてもよい。これにより、高復元性シート部材２０での吸収性能も向上できるようになる。
【実施例】
【００４７】
本生理用ナプキン１の効果を確認するため、以下に示す試験を行った。
【表１】
0006506936.tif 000002
【表２】
0006506936.tif 000003
【００４８】
表１において、中間層の欄の「糸ゴム」の後の「倍」は、弾性伸縮部材（糸ゴム）を伸長させない自然状態を０倍としたときの伸長割合である。
【００４９】
吸収速度５回目の試験方法は、３７℃の人工経血（粘度８）３ｃｃを３分間隔で同一位置に吸収させたとき、５回目の滴下開始時から、表面の人工経血が完全に吸収されたと目視で確認された時点までの時間（秒）をストップウォッチで測定する。
【００５０】
逆戻り量の試験方法は、３７℃の人工経血（粘度８）３ｃｃを３分間隔で同一位置に吸収させてから１分後に、滴下位置にろ紙４枚と荷重５ｇ／ｃｍ２（底面の大きさ１００ｍｍ×４０ｍｍ、高さ４０ｍｍ、重さ２００ｇの重り）を５分間載置したとき、ろ紙に吸収された人工経血の重量を測定する。
【００５１】
シート部材の見かけ厚みの試験方法は、尾崎製作所製、ピーコック、定圧厚み測定器デジタルタイプＦＦＤ−７を用いて、各シート部材の厚みを測定する。
【００５２】
シート部材の密度の試験方法は、〔シート部材の重量（ｇ）／（厚み（ｃｍ）×面積（ｃｍ２））〕から求めたものである。なお、表１及び表２中、記号「−」が付されたものは、測定を行わなかったものである。
【００５３】
表面ヘタリ率の試験方法は、前記吸収速度５回目の試験及び逆戻り量の試験を行った後の製品厚み（ｍｍ）と試験前の製品厚み（ｍｍ）とを測定し、次の計算式より算出した値である。なお、表面ヘタリ率の数値が小さいほど、吸収体が体液を吸収することによる表面のヘタリが小さいことを表している。
前記吸収速度５回目の試験及び逆戻り量の試験を行った後の製品厚み（ｍｍ）／試験前の製品厚み（ｍｍ）×１００（％）
ダミー吸収量の試験方法は、(1)生理用ナプキンをダミー人形に装着して、仰向き姿勢の状態で５ｃｃの人工経血を注入後、仰向きで５分間→右横向きで５分間静置する。(2)ダミー人形を仰向き姿勢に戻して再び人工経血５ｃｃを注入後、仰向きで５分間→左横向きで５分間静置する。上記(1)、(2)の手順を漏れが発生するまで繰り返し、吸収量を測定する。なお、表１及び表２中、記号「−」が付されたものは、測定を行わなかったものである。
【００５４】
前記人工経血の成分は、グリセリン１２．３０重量％、イオン交換水８５．１８重量％、ＣＭＣ（カルボキシメチルセルロースナトリウム）０．４５重量％、ＮａＣｌ（塩化ナトリウム）０．９７重量％、Ｎａ２ＣＯ３（炭酸ナトリウム）１．０４重量％、青粉０．０６重量％からなるものである。
【００５５】
比較例１と実施例１〜７とを対比すると、前記高復元性シート部材２０を配設した本生理用ナプキン１は、吸収速度が１．５６秒〜５．４４秒速くなるとともに、表面ヘタリ率が１％〜１７％改善できるようになる。また、糸ゴムのテンションを０倍（伸長させない自然状態）で配置した比較例２は、実施例１〜３と比較して吸収速度が２．０６秒〜２．７９秒遅く、何も配設しない比較例１と比較して表面ヘタリ率も改善できていない。これにより、弾性伸縮部材２３による収縮力によって蛇腹状に形成した高復元性シート部材２０を配設することにより、吸収速度及び表面ヘタリ率が改善できることが確認できた。
【００５６】
実施例１〜３を比較すると、糸ゴム（弾性伸縮部材２３）のテンション（伸長率）を高くすると、蛇腹状の襞が細かく形成され、上層シート材２１及び下層シート材２２の単位面積当たりの表面積が大きくなるため、吸収速度が速くなり、表面がへたりにくくなる。しかしながら、糸ゴムのテンションが３．５倍（実施例２）、４．５倍（実施例３）になると、高復元性シート部材２０の蛇腹状の襞が細かくなり、この襞の凹部に経血が溜まって、逆戻り量が多くなる。したがって、糸ゴムのテンションは、上層シート材２１及び下層シート材２２の材質や目付にもよるが、エアスルー（２５ｇｓｍ）の場合、１〜３．５倍が好ましいと言える。
【００５７】
次に、上層シート材２１及び下層シート材２２の資材による比較を行う。実施例２と実施例６とは、上層シート材２１及び下層シート材２２をエアスルー（２５ｇｓｍ）からＳＭＭＳ（１０ｇｓｍ）に変更したものであるが、上層シート材２１及び下層シート材２２の厚みを薄くすると、高復元性シート部材２０の蛇腹状の襞の間隙が小さく密になるため、実施例６の方が吸収速度が３．４４秒遅くなるとともに、ＳＭＭＳ自体が人工経血を吸収して保持してしまうため、実施例６の方が逆戻り量が０．０２５ｇ多くなる結果となった。
【００５８】
一方、上層シート材２１をエアスルー不織布、下層シート材２２をＳＭＭＳとした実施例５では、繊維間の空隙が少ないＳＭＭＳがエアスルーに吸収された人工経血を引き込む吸引力が作用するため、実施例２と比較して吸収速度がほぼ同等で、逆戻り量が０．１４７ｇ改善できる結果が得られた。したがって、上層シート材２１としてエアスルー不織布を用い、下層シート材２２としてＳＭＭＳを用いるのが好ましい。
【００５９】
比較例３は、高復元性シート部材２０に代えて、実施例１の見かけ厚みとほぼ同等の厚みで形成したパルプ及びポリマーからなる吸収体を配置したものであるが、この場合には表面ヘタリ率が高くなり、体液を繰り返し吸収することにより表面材と肌面との間に隙間が生じて、体液漏れが生じるようになる。
【００６０】
また、比較例４は、高復元性シート部材２０に代えて、高目付のエアスルー不織布を配置したものであるが、この場合には実施例１〜３と比較して吸収速度が約１．８秒〜２．５秒遅く、表面ヘタリ率も５〜１１％悪くなる。
【符号の説明】
【００６１】
１…生理用ナプキン、２…不透液性裏面シート、３…透液性表面シート、４…吸収体、５…被包シート、６…セカンドシート、７…サイド不織布、２０…高復元性シート部材、２１…上層シート材、２２…下層シート材、２３…弾性伸縮部材、２４…親水性不織布、２５…吸収性部材
【図１】
0006506936.tif 000004
【図２】
0006506936.tif 000005
【図３】
0006506936.tif 000006
【図４】
0006506936.tif 000007
【図５】
0006506936.tif 000008
【図６】
0006506936.tif 000009
【図７】
0006506936.tif 000010